(57)【要約】【課題】対象物体を素早く撮影し、対象物体が真正の書類等であるか否かを判断できる撮影装置を提供する。【解決手段】撮影装置は机などに置かれ、撮影対象をかざすようにして撮影する。照明装置は、複数の波長の光を照射することができ、カメラで異なる波長における撮影対象の画像を撮影する。異なる波長における画像を処理することにより、撮影対象の材質を知ることが出来る。また、撮影された画像は、撮影装置等に格納された登録画像と照合され、画像判定に使われる。更に、画像判定の精度を上げるため、異なる波長の光の照射輝度の差を補正した画像について判定を行う。【選択図】      図１
2006220666.tif 000002
【特許請求の範囲】
【請求項１】
撮影対象の画像データを取得するカメラと、
該撮影対象を単一でない波長で照射する照明と、
撮影されるべき撮影対象の登録画像を格納する格納手段と、
該登録画像と取得された該撮影対象の画像データとを比較し、一致するか否かを判断する比較判断手段と、
該単一でない波長で得られた該撮影対象の画像から波長特性により該撮影対象の材質を判定する材質判定手段と、
異なる波長の光の、該撮影対象を照射する輝度の差を補正する輝度補正手段と、
該撮影対象との間の距離を測定する距離センサと、
を備え、
該撮影対象を前記カメラ及び前記照明に対してかざすことにより該画像データを取得し、前記材質判定手段の判定の結果、偽物と判断された場合には、その旨を通知し、
前記輝度補正手段は、該撮影対象との間の距離毎に、輝度を補正するための補正係数を格納する輝度補正テーブルを備える、
ことを特徴とする撮影装置。
【請求項２】
前記材質判定の結果、前記撮影対象の材質が予め定められた材質でないと判断された場合に、異なる材質が認められた撮影に関する情報を格納することを特徴とする請求項１に記載の撮影装置。
【請求項３】
前記撮影装置を使用するユーザに、前記撮影対象がどのような体勢で保持されているかを示すモニタ手段を更に備えることを特徴とする請求項１に記載の撮影装置。
【請求項４】
前記カメラが取得する画像の走査線の偶数番目と奇数番目で異なる波長を用いた画像データの取得を行うことを特徴とする請求項１に記載の撮影装置。
【請求項５】
取得された画像を格納する画像バッファを備え、
はじめに材質判定のための画像データ取得を行い、材質判定に必要な画像データのみを残した後に、前記登録画像との比較用画像データの取得を行い、逆の順序で画像データ取得を行い画像バッファに格納する場合よりも、画像バッファに要求される記憶容量を小さく抑えることを特徴とする請求項１に記載の撮影装置。
【請求項６】
異なる波長の光が前記撮影対象を照射する輝度の差を補正するために、輝度の補正のための補正係数を格納する輝度補正テーブルを有する輝度補正手段を更に備えることを特徴とする請求項１に記載の撮影装置。
【請求項７】
前記輝度補正テーブルは、前記撮影装置の最初の動作の時に、取得した画像データと登録データを比較し、類似の度合いが所定の範囲に有る場合に、該取得された画像データを用いて生成されることを特徴とする請求項６に記載の撮影装置。
【請求項８】
異なる波長の光が前記撮影対象を照射する輝度の差を補正するために、標準反射物体を前記撮影対象と共に撮影することを特徴とする請求項１に記載の撮影装置。
【請求項９】
更に、ネットワーク通信機能を備えることを特徴とする請求項１に記載の撮影装置。
【請求項１０】
前記登録画像及び該登録画像の波長特性をネットワークで接続された装置に登録し、あるいは、前記登録画像及び該登録画像の波長特性を該装置からの指示に基づいて更新することを特徴とする請求項９に記載の撮影装置。
【請求項１１】
ネットワーク通信においては、暗号化されたデータをやりとりすることを特徴とする請求項９に記載の撮影装置。
【請求項１２】
外部記憶媒体からデータを読み取る外部記憶媒体アクセス手段を更に備え、該外部記憶媒体から、前記登録画像及び該登録画像の波長特性の登録及び更新を行うことを特徴とする請求項１に記載の撮影装置。
【請求項１３】
前記撮影装置の、前記撮影対象を撮影している際の周囲の状況を撮影する周辺撮影用カメラを更に備えることを特徴とする請求項１に記載の撮影装置。
【発明の詳細な説明】
【技術分野】
【０００１】
本発明は、複数の波長を用いて、非接触で物体を撮影する装置に関する。
【背景技術】
【０００２】
図２４は、物質の違いによる光の反射率の違いを説明する図である。
光を当てた時、どのように反射するかは物質固有の性質による。図２４は、その例を示したものである。図２４は、物質Ａと物質Ｂのある１点を取り出し、光に対する特性を示したものである。横軸は対象物体に照射する光の波長を表している。縦軸はその光を当てた時の光の反射率を表している。物質Ａと物質Ｂでは、光の波長に対する反射率の特性が異なっている。そのため、例えば、図２４のＡ、Ｂ、Ｃ、Ｄの波長を選び、そのときの反射率の値を比較することで、物質Ａと物質Ｂを判定することが出来る。
【０００３】
非接触で物質を判定する発明として、特許文献１などがある。水分に吸収されやすい波長、または、水分に吸収されにくい波長の光を光源から照射し、カメラで撮影することで水分の含有を判断するものである。
【０００４】
一方、非接触で伝票などを読み取る従来の撮影装置としては、特許文献２、特許文献３などがある。
図２５は、従来の非接触撮影装置の概要を示す図である。
【０００５】
まず、読み取る対象となる書類１３を置く台座１０がある。台座１０には支柱１１が付いており、その支柱１１の上にヘッダ部１２があり、このヘッダ部１２の中に読み取り装置がある。読み取り装置が撮影した画像をＰＣ１４などに送り、伝票や小切手などの読み取り処理を行う。
【特許文献１】特開平９−６１３５１号公報
【特許文献２】特開２００２−３４２７５２号公報
【特許文献３】特開２０００−１４８８８７号公報
【発明の開示】
【発明が解決しようとする課題】
【０００６】
従来の複数波長を使った撮影装置は、対象物体を固定して撮影するという構造である。しかし、この構造の場合、台座などを必要とするために装置が大きくなり、取り扱い難いという問題がある。また、対象物体を台座に置いてから撮影するため、撮影に時間がかかり、素早く撮影をしたいという利用には不向きである。
【０００７】
また、従来の伝票などの読み取り装置も上記と同様に台座などに書類を固定する方式であるため、同じ問題を持っている。また、読み取っている伝票などが本物かどうかを判定する手段がないという問題がある。
【０００８】
本発明の課題は、対象物体を素早く撮影し、対象物体が真正の書類等であるか否かを判断できる撮影装置を提供することである。
【課題を解決するための手段】
【０００９】
本発明の撮影装置は、撮影対象の画像データを取得するカメラと、該撮影対象を単一でない波長で照射する照明と、撮影されるべき撮影対象の登録画像を格納する格納手段と、該登録画像と取得された該撮影対象の画像データとを比較し、一致するか否かを判断する比較判断手段と、該単一でない波長で得られた該撮影対象の画像から該撮影対象の材質を判定する材質判定手段とを備え、該撮影対象を前記カメラ及び前記照明に対してかざすことにより該画像データの取得を行うことを特徴とする。
【００１０】
本発明によれば、撮影対象をかざすようにして撮影するので、素早く撮影対象を撮影することが出来る。また、複数の波長で撮影対象を照射して、画像を得るので、これらの輝度から撮影対象の材質を知ることが出来る。これにより、撮影対象が、期待される真正の撮影対象であるか、偽物であるかを判断することが出来る。また、登録画像と比較する手段を持つことによっても、真正の撮影対象か、偽物であるかを判断することが出来る。
【発明の効果】
【００１１】
本発明により、非接触型の撮影装置で、複数の波長を用いて対象物体を撮影することができる。その際、複数波長間での位置ずれや照明強度の差を補正する機能を持つ。そのため、波長特性から材質を判定することができる。また、画像のマッチング処理機能を有している。そのため、偽札や偽小切手の防止機能を持つ読み取り装置として利用することが出来る。
【発明を実施するための最良の形態】
【００１２】
本発明の実施形態の撮影装置は、１）画像のマッチング機能、及び、２）複数波長で画像を撮影して固有の波長特性を調べることにより対象物体の材質を判定する機能、を持つことを特徴としている。これらの機能を備えることにより、材質判定に基づく偽造防止機能付きの小切手読み取り装置や偽札の判定装置として利用する事が出来る。
【００１３】
図１は、本発明の実施形態の撮影装置の外観図である。
複数波長で物体を撮影する撮影装置を置き、対象物体を撮影装置の前に「かざす」という利用方法をとる。こういった構造にすることにより、対象物体を保持する台座等が不要になり、装置を小型化・軽量化する事が出来る。また、撮影対象を装置にかざすだけで撮影が出来るため、素早く撮影及び（伝票等の真偽の）判定等をすることができる。
【００１４】
また、本発明の撮影装置は複数波長で画像を撮影する。複数波長で物体を撮影することにより、波長に対する特性に基づき対象物体の材質を判定することが出来る。材質を判定する機能を、小切手や紙幣の偽造防止機能として利用することが可能である。
【００１５】
図２は、本発明の実施形態に基づいた材質判定機能を用いた不正防止機能について説明する図である。
図２のケースＡのように、対象物体全体の波長特性を判定する、または、ケースＢのように判別対象物体の一部に予め波長特性が既知の物質を取り付け、その材質判定を行うことで偽造を防止する、という方法が可能である。
【００１６】
複数波長の画像から撮影対象の材質を判定するため、本発明の撮影装置は材質判定部を備えている。
図３は、複数波長の画像を撮影する２通りの方法を説明する図である。
【００１７】
図３（ａ）は、異なる波長の光を照射する照明をそれぞれ設ける構成で、構成が単純で安価に実現することが出来る。特に照明として安価なＬＥＤを用いることで、コストを抑えることができる。しかし、図３（ａ）では、撮影対象をかざすようにして撮影するため、照射光の波長を切り替えている間に対象物体が移動してしまう可能性がある。そのため、複数波長の画像間での位置ずれ、という問題が起きる。
【００１８】
図３（ｂ）は、連続波長の光を照射する照明を使い、カメラで撮影する際にフィルタを用いて特定の波長の光の反射光を撮影するもので、カメラ側にフィルタを用意するため、構成が複雑で値段が高くなる。しかし、図３（ｂ）は、複数の異なった波長画像を同時に撮影できるため、照射波長を切り替えている間に対象物体が移動してしまう問題がない点が利点である（そのため、複数波長の画像間での位置ずれは起こらない）。
【００１９】
図３（ａ）及び図３（ｂ）のどちらが良いかは、値段及び想定している対象物体の移動速度によって異なる。そのため、実際の応用場面に応じて最適な方法を選ぶ。
また、本撮影装置は、撮影対象となる物体の情報を保持する判定対象物体情報保持部を備えている。判定対象物体情報保持部には、例えば、紙幣や小切手といった、撮影対象となる物体の情報を保持する。具体的には、１）撮影対象物体の画像、及び、２）材質判定のための波長特性情報、を持つ。
【００２０】
本発明を紙幣や小切手の読み取り装置として使用する場合には、１）登録されている画像と現在撮影されている画像との比較、及び、登録されている物体の材質と現在撮影されている物体の材質の比較、という２つの方法によって、今撮影されている物体は何なのか、そして、偽造されていないか、という判定を行う。判定対象物体情報保持部は、比較のための情報を保持する。
【００２１】
また、本撮影装置は画像を比較するマッチング処理部を備えている。紙幣のマークや数字、小切手のサインなどをマッチング処理部で比較することで、現在撮影している画像が登録されているものかどうか、あるいは本物なのかどうかを判定することができる。
【００２２】
例えば、紙幣に書かれているマークや数字を比較することによって、紙幣の種類を判別する事が出来る。また、小切手に書かれているサインを、予め登録しておき、本人のサインと比較することによって、本物かどうかを判別することができる。
【００２３】
マッチング処理の詳細については、以下の文献を参照されたい。
「画像解析ハンドブック」ｐ７０７〜ｐ７４６  東京大学出版会  ＩＳＢＮ  ４−１３−０６１１０７−０  １９９１年１月１７日  初版
これまでに述べた構成とすることで、撮影装置の前にかざすだけで紙幣の種類を読み取り、かつ、偽札を判定する装置や、小切手が本物かどうかを判定する装置が可能となる。
【００２４】
図４は、異なる波長の光を撮影対象に照射する場合の問題点を説明する図である。
本発明の実施形態においては、照明波長を変えた時の撮影物体の反射率の特性に基づいて、材質を判定する。しかし、照明装置が出す光の強度は、図４に示す波長λ１と波長λ２のように波長によって分布が異なる場合がある。特に図３（ａ）のように、異なる波長の光を照射する照明を複数設けて切り替える場合は、その傾向が大きくなる。その結果、同じ位置（図４の点Ｐ（ｘ、ｙ））でも、波長λ１と波長λ２の照明強度が異なってしまう。このような状態では、波長特性に基づいて材質を判定することはできない。
【００２５】
図５は、波長によって照明強度が異なる理由を説明する図である。
波長によって照明強度が異なる理由の１つとして、次の理由がある。複数の波長を照明装置で切り替える図３（ａ）の場合には、波長の異なるＬＥＤなどの照明装置を取り付ける。その取り付け位置や取り付け方向がずれるため、撮影物体の位置によって波長間の照明の強度が異なってしまうという問題が起こる（図５（ｂ））。
【００２６】
この問題を解決する方法として、１つのレンズの中に複数の発光素子を入れることが出来る。ＬＥＤは図５（ａ）に示すように、レンズ部分と発光素子部分からなっている。図５（ｃ）のように、１つのレンズの中に２つ以上の波長に対応した発光素子を入れることで、取り付け位置の違い、及び、取り付け方向の違いに基づく波長間の照明強度の違いをなくすことが出来る。
【００２７】
また、波長によって照明強度が異なる理由として、波長によって電気→エネルギー変換効率や発光素子の面積、屈折率が異なること等が挙げられる。そのため、複数波長間での照明強度の違いを完全に無くすることは難しい。そこで、カメラで撮影した後に、その輝度を補正する方法をとる。
【００２８】
図６は、波長による輝度の差を輝度補正テーブルを使って補正する方法を説明する図である。
まず、測定点毎に、各波長の照明強度を予め測定しておき、輝度補正テーブルとして記録しておく。実際に物体を撮影した際には、この輝度補正テーブルに基づいて輝度を補正する。それにより、波長間の照明強度の違いの影響をなくし、正確な材質判定をすることが出来る。
【００２９】
照明強度分布は、照明から距離に依存して変わるため、輝度補正テーブルは距離毎に持つ構成とすることが出来る。現在の入力画像に対して、どの距離の輝度補正テーブルを使用すべきかは、距離センサを使用する方法や登録画像とのマッチングの結果から距離を決定する方法がある。
【００３０】
本撮影装置は物体との距離を測定する距離センサを装備する構成とすることができる。距離センサの出力に基づいて、最適な輝度補正テーブルを選び、輝度を補正することにより、正しい材質判定をすることができる。
【００３１】
また、距離センサを使うことにより、撮影対象となる物体があるかないかを判定することができる。撮影対象となる物体がない場合には、照明を消したり、画像の撮影を停止することにより、電力やプロセッサパワーを節約することができる。
【００３２】
図７及び図８は、材質判定のための構成を説明する図である。
本撮影装置は、複数波長の画像を用いて物体の材質を判定する。その際、材質の判定処理はカメラが撮影している画面全体に対して行う必要はない。
【００３３】
例えば、図７に示すように撮影領域の中から、撮影物体が映っている小領域を抜き出し、その領域に対してだけ判定処理をすることで、演算量を低減することができる。また、この小領域内のピクセルを適当に間引いて材質判定する構成にすることもできる。例えば、１ピクセルおきに間引いて判定することで演算量を１／４に低減することが出来る。
【００３４】
材質判定領域保持部は、どの領域のどのピクセルを用いて対象物体の材質判定を行うか、という情報を保持する。
また、材質判定部が判定した材質判定の記録を材質判定結果保存部が保持しておく。画像マッチングの結果が一致した一方で、材質判定の結果が登録されたものとは違った場合、偽造などの不正行為が行われた可能性がある。そこで、撮影された物体の材質が登録されているものとは違うという材質判定結果が一定回数以上あったら、警告を上げるなどの処理を行う。
【００３５】
照明装置で照射する複数波長のうち１波長を、判定対象物体情報中の登録画像とのマッチングに最適な波長に選択しておく。例えば、紙幣の模様や小切手のサインなどは、可視光領域で見えるようなインクを使用している。そこで、材質判定に使う複数波長のうちの一つを可視光領域のものとし、他の波長と組み合わせて材質の判定を行う。こうすることで、使用する照明の波長の数を減らすことができ、内部のバッファ量や照明装置の部品数等を減らすことができ、コストが削減できる。
【００３６】
また、図８に示すように、撮影装置に現在撮影中の画像や材質判定領域などを表示するモニタ機能を備える構成とすることもできる。モニタ機能があることにより、利用者が撮影物体をかざすとき、材質判定領域がきちんと物体内に収まっているかどうかを確認することが出来る。
【００３７】
図９は、異なる波長を照射して得られた画像のデータの格納方法を説明する図である。
照明とカメラを同期させ、カメラの撮影フィールド毎に別の波長で撮影する、という構成にすることもできる。
【００３８】
カメラは画像を撮影する際、図９のように１行間隔で操作するタイプがある（インターレス方式）。偶数行目及び奇数行目をそれぞれ、偶数フィールド、奇数フィールドという。
【００３９】
例えば、λ１、λ２という２波長で対象物体を撮影する場合を例に取る。まず、対象物体を波長λ１で照射する。カメラは奇数フィールド（図９の１〜ｎ）に、この波長λ１の画像を記録する。奇数フィールドの撮影が終わった瞬間に、照明をλ２に切り替えて、今度は偶数フィールドに画像を記録する。このように、１枚の画像に２波長分の画像を格納することが出来る。このように、１枚分の画像に２波長分のデータを格納することにより、必要とされるバッファの容量を小さくすることができる。このようなことが出来るのは、材質判定には、画像の全体を使用する必要はなく、一部の情報で良いということから、材質判定用には撮影対象の画像全体は保存しないようにした構成としている。
【００４０】
本発明の実施形態では、材質判定用の波長での撮影、及び、画像マッチング用の波長の撮影を行う。このとき、材質判定用の波長では画面全領域の情報が必要な訳ではない。そこで、はじめに材質判定用の波長で撮影し、最後に画像マッチング用の波長の撮影を行うことで、バッファを有効利用することができる。
【００４１】
複数波長を用いて対象物体の材質を判定するためには、複数波長の照明強度が一定でなければならない。そのため、照明強度の違いを補正するために輝度補正テーブルを設ける。この輝度補正テーブルは出荷時に設定しておく。また、以下に述べるように、入力画像を用いて輝度補正テーブルを新規に生成、または、更新するという構成にすることもできる。
【００４２】
入力画像を用いて輝度補正テーブルを新規に作成するには以下の様にする。まず、初期状態では輝度補正テーブルを０で初期化する。このとき、輝度補正が出来ないため、材質の判定は行わない。
【００４３】
撮影装置に物体がかざされた場合は、材質判定を行わずに直接、判定対象物体の登録画像と入力画像とのマッチング処理を行う。その結果、入力画像と判定対象物体との類似度が、予め設定していた閾値よりも高かった場合、その入力画像は予め登録されている判定対象物体である可能性が高い（不正に作成したものが最初にかざされる確率は小さいと仮定している）。そこで、今の入力画像の輝度が、予め分かっている判定対象物体の波長特性に一致するように、輝度補正テーブルを生成する。輝度補正テーブルが生成された後は、このテーブルに基づき輝度補正及び材質判定を行う。同様の方法で入力画像を使って、輝度補正テーブルを更新する事も可能である。
【００４４】
本撮影装置では、判定対象物体の登録時の情報を用いて輝度補正テーブルを新規に生成、または、更新するという構成することも出来る。
判定対象物体の登録時の情報を用いて輝度補正テーブルを新規に作成する場合は以下のようにする。まず、初期状態では輝度補正テーブルを０で初期化する。
このとき、輝度補正が出来ないため、材質の判定は行わない。
【００４５】
ここで、判定対象物体情報部に判定対象物体の画像を登録する。判定対象物体情報は紙幣や小切手など既知の物体であるため、波長特性も既知である。この既知の物体を判定対象物体情報保持部に記憶する際、輝度補正テーブルも生成する。具体的には、今の登録された判定対象物体が既知の波長特性になるように輝度補正テーブルを生成する。輝度補正テーブルが生成された後は、このテーブルに基づき輝度補正および材質判定を行う。
【００４６】
また、同様の方法で判定対象情報を使って、輝度補正テーブルを更新することも可能である。
図１０は、標準反射物体を用いた輝度補正の方法を説明する図である。
【００４７】
本撮影装置は波長間の輝度の補正を行うために、波長特性が既知の標準反射物体を撮影装置が持ち、カメラの撮影領域に写るような構成とすることができる。
例えば、図１０のような構成にする。カメラの上方に波長特性が既知の標準反射物体を設置する。撮影対象をかざす際に、この標準反射物体が撮影対象の一部に重なるようにして撮影する。するとカメラには撮影対象と標準反射物体が同時に写ることになる。この標準反射物体の波長特性は既知であるため撮影装置は撮影した複数波長の画像の輝度を、標準反射物体の輝度から補正することができる。
【００４８】
本撮影装置の別の構成として、波長特性が既知の標準反射物体を撮影対象側が持つ構成とすることができる。例えば、紙幣などをかざす時に、利用者がリストバンド等を装着するようにし、このリストバンドに標準反射物体を組み込んでおく。あるいは、紙幣を保持するホルダーに標準反射物体を組み込んでおく。
【００４９】
図１１は、撮影対象の位置ずれの対処方法を説明する図である。
先に述べたように、図３（ａ）の構成の撮影装置の場合、複数の波長を撮影する際、照明装置の照射光の波長を切り替えながら撮影するため、撮影時間にずれが生ずる。そのため図１１のように、各波長の画像を撮影する間に対象物体の位置がずれてしまう場合がある。
【００５０】
これらの画像の間の位置ずれを補正するため、平行移動や回転などの画像変換を与えながら画像マッチングを行い、画像が最も一致する位置を探索する。そのように位置合わせを行った後に、波長特性を調べて材質判定を行う。
【００５１】
撮影装置にネットワーク通信機能を備える構成とすることができる。ネットワーク機能を有することにより、他の撮影装置との連携や遠隔操作、遠隔監視が出来るようになる。
ネットワーク通信機能を備えることにより、判定対象物体情報の登録を一台の撮影装置に行うことによって、他の全ての撮影装置に登録することが可能となる。
【００５２】
ネットワークを介して判定対象物体情報の情報を更新する際には、不正な登録や情報の漏洩を未然に防ぐため、判定対象物体情報を暗号化して送信し、受信の際には、復号して登録する構成とすることができる。
【００５３】
また、ネットワークを通じて他の撮影装置にメッセージを送る機能を備えた構成とすることができる。例えば、材質判定の結果、偽の紙幣が使われたことを検出した場合、その情報を他の撮影装置に通知し、「該当する紙幣の使用を一時中断するように」というメッセージを送ることができる。
【００５４】
ＩＣカードなどの外部記憶媒体からデータを読み取る外部記憶媒体アクセス部を持つ構成とすることが出来る。外部記憶媒体を使って判定対象物体情報を登録することにより、新しい判定対象物体を簡単に登録することができる。例えば、偽札判別装置として使う場合、新種の紙幣などに素早く対応することができる。
【００５５】
また、撮影装置に対象物体を撮影するカメラとは別に、周辺を撮影するためのカメラを備えておき、一定時間間隔で画像を蓄積する構成とすることもできる。
これにより、材質判定によって不正な紙幣や小切手などを検出した際、それを使用した人物を撮影しておくことができる。また、その画像をネットワークを介して配信することで、同じ人物による不正使用を事前に防止することができる。
【００５６】
本発明の実施形態の構成では、１）撮影物体と予め登録してある判定対象物体情報との画像マッチング処理、及び、２）材質判定、を行うことができる。そのため、紙幣や小切手などが本物かどうかという判定を、画像のマッチング処理と材質判定という２つの方面から確認できる。そのため、より正確な判断が出来るようになる。
【００５７】
また、本発明の実施形態では、撮影対象の物体（紙幣や小切手など）を台座等に固定すること無く、カメラにかざした状態で、撮影及び材質判定が出来るように、輝度補正テーブルを備えている。そのため、対象物体をおくための台座などは必要なくなるため、装置を小型・軽量化することができる。また、対象物体を撮影装置の前にかざすだけで良いため、素早く撮影することができる。小売店の店頭などで紙幣や小切手の読み取り装置として利用する際には有効である。
【００５８】
ＬＥＤなどの１つの照明装置のレンズの中に、複数の発光素子を入れることにより、照明装置の取り付け位置の違い、及び、取り付け方向の違いによる波長間の照明強度の違いをなくすことができる。その結果、材質判定をより正確に行うことが出来るようになる。
【００５９】
本撮影装置は、カメラからの距離や位置による照明強度の違いを補正する輝度補正テーブルを備えている。材質判定は波長間の反射率の違いに基づいて行うため、照明の強度が距離や位置によって異なっていると、正確な材質判断を行うことができない。それに対して、本撮影装置では輝度補正テーブルを使って輝度を補正することで正確な材質判定を行うことができる。
【００６０】
照明の強度分布は照明からの距離に依存して変わるため、輝度補正テーブルは距離毎に持つ。この結果、より正確な材質判定を行うことができる。
対象物体までの距離を測定する距離センサを装備する構成とすることで距離センサの出力に基づいて、最適な輝度補正テーブルを選び、輝度を補正することにより、正しい材質判定をすることができる。
【００６１】
また、距離センサによって、撮影対象となる物体の有無を判定することが出来る。そのため、撮影対象となる物体がない場合には、照明を消したり、画像の撮影を停止することにより、電力やプロセッサパワーを節約することができる。
【００６２】
波長特性に基づく材質判定を行う場合、同じ材質で有れば、どの領域に対して判定を行っても同じ結果が得られる。そのため、撮影画面全体に対して波長特性による材質判定を行う必要はない。そこで、材質判定領域保持部に、どの領域のどのピクセルを用いて対象物体の材質を判定するかという情報を保持する。それにより、画面全体に対して材質判定を行うより演算量を低減することが出来る。
【００６３】
材質判定部が判定した材質判定の記録を材質判定結果保存部が保持しておく。撮影物体の材質が登録されていたものとは違う、という結果が出た場合、不正行為がなされた可能性がある。そこで、材質判定結果保存部に判定結果を保存しておき、その内容によって、警告を上げることが出来るようになる。
【００６４】
材質判定用に照明装置が照射する複数波長のうち１波長を、判定対象物体の登録画像とのマッチングに最適な波長に選択することが出来る。その結果、画像マッチングの精度を維持したまま、材質判定用の波長の数を減らすことができるため、内部のバッファ容量や照明の部品数等を減らし、コストを削減することができる。
【００６５】
現在撮影している画像や材質判定領域などを表示するモニタ機能を備える。モニタ機能があることにより、利用者が撮影物体をかざす時、きちんと撮影されているか、または、材質判定領域がきちんと物体内に収まっているか、などを確認しながら利用することができ、安心して利用することができる。
【００６６】
カメラ画像の偶数フィールドと奇数フィールドで別の波長の画像を撮影することにより、２波長の画像の撮影時間の間隔を、１波長の画像を１フレームで撮影する時より短くすることができる。その結果２波長の画像間での撮影物体の位置ずれが小さくなるため、より正確な材質判定を行うことが出来る。
【００６７】
撮影に材質判定用の撮影を行い、必要な情報のみ退避させ、その後、マッチング用の撮影を行うことで、小さなメモリにて動作することが出来る。
図１２は、マッチング用の画像データと材質判定用の画像データの撮影順序とメモリ領域の関係を示す図である。
【００６８】
図１２の上側のように、最初に材質判定用の撮影をした場合、１つ目の波長で撮影した画像データが画像バッファであるメモリに格納される。そして、材質判定に必要な分だけの画像データを残して、他の画像データは、捨てる、あるいは、他のメモリに退避する。そして、２つ目の波長で撮影対象を撮影し、画像データを画像バッファに格納すると、２つの波長の画像データが１つの画像バッファに収まることになる。なお、ここで、２つ目の波長での撮影画像は、画像マッチングのための画像であるため、画像データ全体が必要であると仮定している。これに対し、図１２の下の場合には、先に画像マッチングのための画像データを１つ目の波長で撮影し、次に、材質判定用の画像を２つ目の波長で撮影すると、先の画像データは全ての画像データが必要であるため、画像バッファ内に全て保管されなくてはならない。この上に、２つ目の波長で材質判定用画像データを取得し、画像バッファに格納しようとすると、画像バッファに収まらなくなってしまう。材質判定用画像データから材質判定に必要な部分の画像データのみを取り出すには、一旦全画像データを格納する必要があるので、先に画像マッチング用画像データを撮影すると、余分に画像バッファの容量を必要とする。
【００６９】
輝度補正テーブルは、工場出荷時に予め設定しておくことが出来る。しかし、入力画像を基にテーブルを更新する構成とすれば、工場出荷時に輝度補正テーブルを校正する必要がない。そのため、生産コストを低減することが出来る。
【００７０】
また、本撮影装置では入力画像を使った輝度補正テーブルの更新を、一定時間間隔で行うことが出来る。このことにより、照明装置の経年変化（時間がたつにつれて照明の強度が減衰する）の影響を抑えることができ、材質判定の精度を高いまま、維持することができる。
【００７１】
標準反射物体を撮影範囲内に常に置いておく構成とすることにより、標準反射物体を用いて、常に輝度補正テーブルを更新することができる。そのため、より正確な材質判定を行うことが出来るようになる。
【００７２】
画像マッチングを用いて複数波長の画像の位置合わせをすることにより、画像間の撮影物体の位置ずれを補正することが出来る。その結果、材質判定を高い精度で行うことが出来る。
【００７３】
ネットワーク通信機能を備えることにより、他の撮影装置との連携やリモート操作、監視が出来るようになる。例えば、リモートで撮影装置を監視することや、一台の撮影装置に判定対象物体情報を登録するだけで他の全ての撮影装置に登録すること等が可能となる。
【００７４】
判定対象物体情報を暗号化して送信し、受信の際には復号して登録することにより、判定対象物体情報に関する情報が漏洩し、不正に使用されることを防ぐことが出来る。
また、ネットワークを通じて他の撮影装置にメッセージを送る機能を備えることによって、例えば、材質判定の結果、偽の紙幣が使われたことを検出した場合、その情報を他の撮影装置に通知し、「該当する紙幣の使用を一時中断するように」といったメッセージを送ることができるようになる。
【００７５】
ＩＣカードなどの外部記憶媒体から判定対象物体情報を登録・更新することにより、判定対象物体情報を素早く更新することが出来る。例えば、紙幣判定の場合、事前に登録されてはいない種類の紙幣の判定を行いたい場合には、ＩＣカードなどを使って、その情報を登録することで、素早く使用することが出来るようになる。
【００７６】
撮影装置に、判定対象物体を撮影するカメラとは別に、装置周辺を撮影するカメラを備えておき、一定時間間隔で画像を撮影する構成にできる。これにより、材質判定によって不正な紙幣や小切手などを検出した際、それを使用した人物を撮影しておくことが可能になる。また、その画像をネットワークを介して配信することで、同じ人物による同じ行為を事前に防ぐことができる。
【００７７】
以下では本発明の実施形態の構成例を示すが、これらの構成例では、小切手の読み取り装置を例にする。
図１３は、本発明の実施形態に従った第１の構成例を示す図である。この構成例は、撮影装置単体で動作する構成となっている。また、図１４は、第１の構成例の外観図である。図１４によれば、撮影装置は、カメラ、照明装置、距離センサ、外部モニタを備え、撮影対象をかざすようにして配置すると、これの画像を撮影する構成となっている。
【００７８】
全体制御部２０は、照明装置２２、カメラ２３、マッチング処理部２６、判定対象物体情報保持部２５など各部に適切な命令を出し、装置全体を制御する。
距離センサ２１は、対象物体までの距離を測定するデバイスである。赤外線を照射し、その反射光をとらえることで距離を測定するタイプなどが使用可能である。
【００７９】
照明装置２２は、撮影対象に光を照射し、マッチング処理用の画像の撮影、及び、材質判定用の波長特性を取得するために用いる。
図３（ａ）の構成とした場合、具体的な照明装置として、ピーク波長の異なるＬＥＤを備えたものを使用することが出来る。また、ピーク波長の異なる複数の発光素子を１つのレンズに封入したＬＥＤを使用することもできる。
【００８０】
図３（ｂ）の構成とした場合、照明装置２２は連続した波長の光を照射するものを使用する。具体的には、ハロゲンランプやキセノンランプなどを使用する。
材質判定には複数の波長の光を使用するが、この複数の波長のうちの１つを画像マッチング用の波長と共通にしておく。そうすることで、材質判定に使用する波長を１つ減らすことができ、コストを削減できる。また、カメラが撮影する回数を減らすことができるため、レスポンス速度を向上させることができる。
【００８１】
カメラ２３はマッチング用及び材質判定用として、複数波長の対象物体の画像を撮影する。具体的には、ＣＭＯＳやＣＣＤなどといった撮像素子を使用することができる。図３（ｂ）の構成とした場合、カメラに材質判定用の波長に対応したフィルタ及び撮像素子を用意する。
【００８２】
画像バッファ２４は、カメラで撮影した画像を保持する領域である。複数の波長でカメラが撮影した画像は、まず画像バッファ２４に保存される。その後、輝度補正部３０で輝度を補正した後、マッチング処理部２６での画像マッチング、材質判定部２７での波長特性の判定に使用される。
【００８３】
マッチング用の画像と材質判定用の画像を撮影する際、最初に材質判定用の画像を撮影し、必要な部分だけ退避させた後にマッチング用の画像を撮影する。こうすることで、画像バッファを有効に使用することができる。
【００８４】
判定対象物体情報保持部２５は、画像マッチングや材質判定の対象となる物体の情報を保存する。例えば、本撮影装置を小切手を識別する装置として利用する際には、予め登録されている本人のサインを登録しておき、カメラで撮影した画像とのマッチングを行う。サインを判定対象物体情報と比較することにより、正当な小切手かどうかを判定することができる。
【００８５】
また、偽札識別装置として使用するには、紙幣のデザインを記録しておく。マッチング処理を行うことで、現在撮影されている紙幣が予め登録されたものであるかどうか、判定することができる。予め登録されている紙幣と一致したならば、紙幣の種類が特定できたことになる。判定対象物体情報を更新することで、各種の紙幣を識別することができるようになる。
【００８６】
判定対象物体情報保持部２５が持つ情報には具体的には以下のものがある。
１）マッチング用画像、
２）材質判定用の波長特性
更に、３）判定対象領域の情報を追加する構成とすることもできる。
【００８７】
本構成例では、マッチング画像用として小切手のサインの画像を用い、また、小切手の一部に波長特性が既知の物質を埋め込んでおき、材質判定を行うことで、偽造小切手を識別することができる。
【００８８】
マッチング処理部２６は、カメラ２３で撮影した画像と判定対象物体情報保持部２５に保存されている登録画像を比較処理し、画像が一致しているかどうかを判定する。その際、平行移動、回転などの画像変換を行いながらマッチングすることで、対象物体をかざすことによる画像の変形に対応することができる。
【００８９】
また、複数波長間の位置ずれを補正するためにもマッチング処理部のマッチング結果を使用する。
材質判定部２７は、複数波長で撮影した画像の輝度情報から撮影物体の材質を判定する。
【００９０】
図１５は、材質判定処理部の行う処理内容のフローチャートを示す。各波長の画像は輝度補正部によって予め補正されているとする。すなわち、登録情報と撮影画像の波長特性の曲線の形状が同じで、輝度の大きさだけが異なるような場合には、輝度補正部において、撮影画像の輝度が補正され、登録情報の波長特性との差が非常に小さくなるようになっている。
【００９１】
図１５において、ステップＳ１０で、登録情報と撮影画像の波長特性の差Δを０に初期化する。ステップＳ１１において、判定に使用するピクセル番号ｎを１に初期化する。ステップＳ１２において、材質判定領域保持部２９からｎ番目の座標（ｘ、ｙ）を取得する。ステップＳ１３においては、材質判定に使用する波長の番号ｍを１に初期化する。ステップＳ１４において、波長λｍの撮影画像と登録情報の波長特性の差を計算し、Δに加算する。具体的には、、波長ｍの入力画像中の点（ｘ、ｙ）の輝度をＰｍ（ｘ、ｙ）とし、登録物体の波長ｍの反射率をＲ（ｍ）としたとき、
Δ＝Δ＋｜Ｐｍ（ｘ、ｙ）−Ｒ（ｍ）｜
を計算する。ステップＳ１５においては、ｍを１増加し、ステップＳ１６において、全波長について処理をしたか否かを判断する。ステップＳ１６の判断がＮＯの場合には、ステップＳ１４に戻る。ステップＳ１６の判断がＹＥＳの場合には、ステップＳ１７において、ｎを１増加し、ステップＳ１８において、全座標を処理したか否かを判断する。ステップＳ１８の判断がＮＯの場合には、ステップＳ１２に戻り、ステップＳ１８の判断がＹＥＳの場合には、処理を終了する。
【００９２】
材質判定領域保持部２９は、材質判定部２７が材質の判定に使用する撮影画面内の領域を保持する。具体的には、１）判定対象となる点の位置を順に記憶する。または、２）判定対象領域の中心座標、及び、判定領域の一辺の長さを記憶する、という方法で判定領域を記憶する。
【００９３】
材質判定結果保持部２８は、材質判定部２７の判定の結果、入力された画像が登録されている対象物体の材質と異なっていた場合、不正使用の可能性があるため、その情報を記録しておくものである。材質判定結果保持部２８は、図１６に示す情報を保持する。
【００９４】
図１６は、材質判定結果保持部の保持する情報の例である。
Ｎｏは撮像装置が検出した材質不一致の連続番号である。時刻は、材質不一致を検出した時刻である。ＩＤとは材質不一致を検出した対象物体を一意に表す番号である。例えば、Ａさんの小切手はＩＤ＝１０５８と割り振っておく。このＩＤが分かれば、どの小切手で材質不一致が発生しているかが分かる。また、同じＩＤで連続して発生している場合には、不正行為が行われている可能性が高いため、外部モニタ装置に警告メッセージを表示する。なお、材質判定結果保持部２８の保持する情報として、上記では、材質不一致が検出された場合のみを記憶しているが、通常の動作ログとして、材質一致が検出された場合の情報も合わせて格納するようにしても良い。
【００９５】
輝度補正部３０及び輝度補正テーブル３１は、複数波長の照明強度の違いを補正するものである。具体的に、輝度補正テーブルは図１７（ａ）のようなデータ構造をとる。
図１７は、輝度補正テーブルのデータ構造の例を説明する図であるが、輝度補正テーブル３１は、図１７（ａ）のようなデータを、カメラから対象物体への距離が５ｃｍ用、６ｃｍ用・・・と距離毎に持つ。中心から相対距離Ｌとは、図１７（ｂ）に示すように、画面中央からの距離を、撮影領域の長さに対する比で表したものである。照明の強度は円形状で変化するため、中心から相対距離が同じであるなら、同じ補正係数を利用できるためである。
【００９６】
輝度補正部３０は、距離センサ２１の出力に応じて対象物体までの距離を測定し、その結果を用いて、適切な輝度補正テーブル３１を選択する。この時、対象物体との距離に一致する輝度補正テーブルがなかった場合、存在する輝度補正テーブル３１の中で最も対象物体との距離が近いものを選ぶ。あるいは、距離が近い２つのテーブルを選び、そのテーブルの値から線形補間などから、該当距離に対する輝度補正テーブル３１を求めることもできる。
【００９７】
本撮影装置では、輝度補正テーブル３１を以下に述べるように入力画像を用いて生成する。
まず、初期状態では輝度補正テーブルを０で初期化する。最初に、撮影装置に物体がかざされた時に、材質判定は行わずに直接、登録画像とのマッチング処理を行う。その結果、入力画像と判定対象物体との画像の類似度が、予め設定していた閾値よりも高かった場合、その入力画像は判定対象物体であると判断する。
類似度は、入力画像と判定対象物体の登録情報とのピクセル毎の値の差を加算した結果を使うことが出来る。そこで、今の入力画像の輝度が、予め分かっている判定対象物体の波長特性に一致するように、輝度補正テーブル３１を生成する。
【００９８】
具体的には次のようにする。照明波長がλｍの時の入力画像中の点（ｘ、ｙ）の輝度が、Ｐｍ（ｘ、ｙ）であったとする。一方、判定対象物体の反射率がＲ（ｍ）であったとする。点（ｘ、ｙ）に対する輝度補正係数は、
輝度補正係数＝Ｒ（ｍ）／Ｐｍ（ｘ、ｙ）
と表すことが出来る。
【００９９】
また、輝度補正テーブルは、入力画像を用いて定期的に更新する。更新の際は、ある入力画像があった時に、その入力画像が登録画像とのマッチング処理、および、材質判定の結果から、予め登録されている判定対象物体であった場合のみ、上記手段を適用して更新を行う。定期的に輝度補正テーブルを更新することにより、時間経過による照明強度の変化による影響を取り除くことができる。
【０１００】
輝度補正部３０は、画像バッファ２４から各波長で撮影した画像を取り出す。そして、画面中央からの相対距離に応じた補正係数を用いて、画像輝度を補正する。具体的には以下の計算を行う。
【０１０１】
補正後の点（ｘ、ｙ）の輝度＝補正前の点（ｘ、ｙ）の輝度×補正係数（ｘ、ｙ）
外部記憶媒体アクセス部３２は、ＩＣカードなど外部記憶媒体とのデータの読み書き処理を行う。撮影装置内に登録されている判定対象物体情報を、外部記憶媒体に対して読み書きすることができるため、新しい判定対象物体を複数の撮影装置に登録する場合、全ての撮影装置で登録処理を行う必要が無く、１台の撮影装置に登録した後、外部記憶媒体を用いて他の撮影装置に同じ内容を登録することができる。
【０１０２】
外部モニタ装置３３は、現在撮影中の画像や材質判定領域を表示する機能を担う。外部モニタ装置３３の例としては、図８に示したようなものである。
外部モニタ機能があることにより、利用者は対象物体がきちんと撮影できているかを確認しながら、撮影対象物体をかざすことができる。
【０１０３】
図１８は、本発明の実施形態に従った撮影装置の第２の構成例を示している。
また、図１９は、第２の構成例の外観図である。
この第２の構成例では、撮影装置にパソコンなど外部プロセッサをつなげて動作する。なお、図１８において、図１３と同様の構成要素には同様に参照番号を付して説明を省略する。
【０１０４】
図１９では、撮影装置は、カメラ、照明装置、距離センサを備え、外部プロセッサであるＰＣに接続されている。撮影対象は、撮影装置にかざすように配置され、撮影される。
図１８の第２の構成例は、画像のマッチング処理は外部のプロセッサ５１で行い、材質判定は撮像装置５０内で行う。画像マッチングは処理が重いため、外部のプロセッサ５１で行い、処理の軽い材質判定は、撮影装置５０内で行うことで、処理の負荷を分散させることができる。
【０１０５】
この第２の構成例では、マッチング処理と材質判定処理を別々に行うため、判定対象物体情報保持部も２つに分かれている。（図中の４４と４８）。判定対象物体保持部４４にはマッチング処理を行うための登録画像が保持されている。一方、判定対象物体情報保持部４８は、材質判定処理を行うための波長特性情報を保持する。
【０１０６】
輝度補正テーブル３１は、最初に登録される判定対象情報を用いて生成する。
まず、初期状態では、輝度補正テーブルを０で初期化する。
最初に判定対象情報の登録が行われた時に、その登録画面の輝度が、予め分かっている判定対象物体固有の波長特性に一致するように、輝度補正テーブルを生成する。
【０１０７】
照明波長がλｍの時の登録画像中の点（ｘ、ｙ）の輝度が、Ｐｍ（ｘ、ｙ）であったとする。一方、判定対象物体の反射率がＲ（ｍ）であったとする。点（ｘ、ｙ）に対する輝度補正係数は、
輝度補正係数＝Ｒ（ｍ）／Ｐｍ（ｘ、ｙ）
と表すことができる。
【０１０８】
また、判定対象物体の登録があった時、上記と同様の方法を使って定期的に輝度補正テーブル３１を更新する。定期的に輝度補正テーブル３１を更新することにより、時間経過による照明強度の変化による影響を取り除くことが出来る。
【０１０９】
通信部４７は、撮影装置５０を外部プロセッサ５１の通信部４６と回線を介してデータのやりとりを行う。照明・カメラ同期回路４０は、前述した、インターレス方式の撮影において、カメラの撮影動作と照明の波長の切り替え動作を同期させ、１つの画像データに２つの波長によって得た画像データを取り込むために使用される。
【０１１０】
処理の重いマッチング処理を外部プロセッサ５１で行うために、外部プロセッサ５１には、判定対象物体情報保持部４４の他に、マッチング処理部４５が設けられる。また、撮影装置５０から送られてきた画像データを格納するために、画像バッファ４３も設けられ、ユーザは、外部モニタ装置４２を使って、撮影対象が正しく配置されているか否かをユーザが確認することが出来る。外部プロセッサ５１の全体制御部４１は、外部プロセッサ５１の各部の制御を行う処理部である。
【０１１１】
図２０は、本発明の実施形態に従った撮影装置の第３の構成例を示している。
第３の構成例では、撮影装置にパソコンなど外部プロセッサをつなげて動作する。図２１は、第３の構成例の外観図である。第３の構成例においては、図２１に示されるように、新たに標準反射物体が設けられている。なお、図２０においては、図１３、及び図１８と同様の構成要素には同様の参照番号を付して説明を省略する。
【０１１２】
図２０の第３の構成例では、画像のマッチング処理、及び、材質判定処理を外部プロセッサで行う。従って、判定対処物体情報保持部２５、マッチング処理部４５、材質判定部２７、材質判定結果保持部２８、材質判定領域保持部２９、輝度補正部３０、輝度補正テーブル３１が外部プロセッサ５１に設けられている。
主な処理を外部プロセッサで行うため、撮影装置本体のコストを下げることが出来る。
【０１１３】
撮影装置５０から外部プロセッサ５１へのデータ送信は次のようにする。まず、画像マッチング用の画像は画像全体を外部プロセッサ５１に送る。一方、材質判定用の画像は、材質判定領域保持部２９が持っている材質判定領域内の画像情報のみを外部プロセッサ５１に送る。このようにすることで、撮影装置５０と外部プロセッサ５１との通信情報量を削減することができ、撮影のレスポンスを向上させることができる。そのために材質判定領域保持部２９は、撮影装置５０と外部プロセッサ５１の両方に存在する。
【０１１４】
第３の構成例では、図２１に示すように、材質判定用の複数波長画像の輝度補正を行うため、標準反射物体を装備している。各波長の画像を撮影装置５０から受け取った外部プロセッサは、標準反射物体の輝度を利用して、各波長の画像の輝度を補正する。
【０１１５】
標準反射物体は、撮影領域の前面に存在していないため、撮影領域全体の輝度を補正するには、次のようにする。
まず、撮影領域内の照明強度の分布は既知であるとする。例えば、照明が集中する中心部が最も明るく、周辺に行くに従って、照明強度は低下する。この照明強度の低下を、線形で近似する。撮影領域の中心から距離Ｘだけ離れたところに存在する標準反射物体の輝度がＰであったとする。すると、撮影領域の中心からｘ離れた位置に標準反射物体があったとした時の輝度の近似値Ｐ（ｘ）は、
Ｐ（ｘ）＝Ｐ＋（Ｘ−ｘ）×α
となる。αは中心からの距離に比例した輝度低下量を表す定数である。αは事前に測定しておく。上式を画面内の各点に適用することで、撮影領域全体の標準反射物体の輝度の近似値を得ることができる。その結果、標準反射物体の波長特性を事前に測定しておくことで、波長間の輝度の違いを補正することができる。
【０１１６】
図２２は、本発明の実施形態に従った撮影装置の第４の構成例を示している。
図２３は、第４の構成例の外観図である。図２３においては、撮影装置に距離センサ、照明装置、カメラ、周辺撮影カメラ、外部モニタ装置が取り付けられ、撮影装置自身がネットワークに接続されている。なお、図２２においては、図１３と同様な構成には同様な参照番号を付し、説明を省略する。
【０１１７】
図２２の第４の構成例では、撮影装置単体で動作し、また、ネットワーク機能を有している。更に、撮影装置周辺を監視するための、周辺撮影カメラ６０を装備している。
第４の構成例は、ネットワーク通信部６２を備えている。ネットワーク通信機能を備えることにより、リモートで撮影装置の状態を監視することや、一台の撮影装置に判定対象物体情報を登録するだけで他の全ての撮影装置に登録すること等が可能となる。
【０１１８】
ネットワークを使った不正を防ぐため、本発明の実施形態に従ったネットワーク通信部は暗号機能を装備する。
また、ネットワークを通じて他の撮影装置にメッセージを送る機能を備え、偽の小切手が使われたことを検出した際に、その情報を他の撮影装置に警告メッセージとして送ることが出来る。
【０１１９】
また、第４の構成例では、装置周辺を撮影する周辺撮影カメラ６０を備えており、一定時間間隔で画像を撮影する。この周辺撮影カメラ６０は画角の広いカメラを採用し、広範囲の映像を撮影できるものにする。周辺撮影カメラ６０によって撮影された画像データは、周辺撮影カメラ用バッファ６１に格納される。
周辺撮影カメラで周囲を監視しておくことにより、不正な小切手などを検出した際、それを使用した人物を同時に撮影することが可能である。
【０１２０】
（付記１）撮影対象の画像データを取得するカメラと、
該撮影対象を単一でない波長で照射する照明と、
撮影されるべき撮影対象の登録画像を格納する格納手段と、
該登録画像と取得された該撮影対象の画像データとを比較し、一致するか否かを判断する比較判断手段と、
該単一でない波長で得られた該撮影対象の画像から該撮影対象の材質を判定する材質判定手段と、
を備え、
該撮影対象を前記カメラ及び前記照明に対してかざすことにより該画像データの取得を行うことを特徴とする撮影装置。
【０１２１】
（付記２）前記照明は、異なる波長に強度ピークを持つ複数の光源を有し、これらの光源を切り替えて、前記単一でない波長で前記撮影対象の画像を得ることを特徴とする付記１に記載の撮影装置。
【０１２２】
（付記３）前記照明は、連続した波長の範囲の光を照射する光源を有し、前記カメラで画像を撮影する場合に、フィルタを用いて、特定波長の画像を取得することを特徴とする付記１に記載の撮影装置。
【０１２３】
（付記４）更に、異なる波長の光が前記撮影対象を照射する輝度の差を補正する輝度補正手段を備えることを特徴とする付記１に記載の撮影装置。
（付記５）前記輝度補正手段は、輝度の補正のための補正係数を格納する輝度補正テーブルを備えることを特徴とする付記４に記載の撮影装置。
【０１２４】
（付記６）更に、前記撮影対象との間の距離を測定する距離センサを有し、
前記輝度補正手段は、該撮影対象との間の距離毎に、輝度を補正するための補正係数を格納する輝度補正テーブルを備えることを特徴とする付記４に記載の撮影装置。
【０１２５】
（付記７）前記撮影対象の材質判定は、該撮影対象の画像の内の一部を用いて行われることを特徴とする付記１に記載の撮影装置。
（付記８）前記材質判定の結果、前記撮影対象の材質が予め定められた材質でないと判断された場合に、異なる材質が認められた撮影に関する情報を格納することを特徴とする付記１に記載の撮影装置。
【０１２６】
（付記９）前記照明で照射する波長の内、１つの波長で得られた画像を前記登録画像との比較に用いることを特徴とする付記１に記載の撮影装置。
（付記１０）前記撮影装置を使用するユーザに、前記撮影対象がどのような体勢で保持されているかを示すモニタ手段を更に備えることを特徴とする付記１に記載の撮影装置。
【０１２７】
（付記１１）前記カメラが取得する画像の走査線の偶数番目と奇数番目で異なる波長を用いた画像データの取得を行うことを特徴とする付記１に記載の撮影装置。
（付記１２）取得された画像を格納する画像バッファを備え、
はじめに材質判定のための画像データ取得を行い、材質判定に必要な画像データのみを残した後に、前記登録画像との比較用画像データの取得を行い、逆の順序で画像データ取得を行い画像バッファに格納する場合よりも、画像バッファに要求される記憶容量を小さく抑えることを特徴とする付記１に記載の撮影装置。
【０１２８】
（付記１３）異なる波長の光が前記撮影対象を照射する輝度の差を補正するために、輝度の補正のための補正係数を格納する輝度補正テーブルを有する輝度補正手段を更に備えることを特徴とする付記１に記載の撮影装置。
【０１２９】
（付記１４）前記輝度補正テーブルは、前記撮影装置の最初の動作の時に、取得した画像データと登録データを比較し、類似の度合いが所定の範囲に有る場合に、該取得された画像データを用いて生成されることを特徴とする付記１３に記載の撮影装置。
【０１３０】
（付記１５）異なる波長の光が前記撮影対象を照射する輝度の差を補正するために、標準反射物体を前記撮影対象と共に撮影することを特徴とする付記１に記載の撮影装置。
（付記１６）更に、ネットワーク通信機能を備えることを特徴とする付記１に記載の撮影装置。
【０１３１】
（付記１７）前記登録画像及び該登録画像の波長特性をネットワークで接続された装置に登録し、あるいは、前記登録画像及び該登録画像の波長特性を該装置からの指示に基づいて更新することを特徴とする付記１６に記載の撮影装置。
【０１３２】
（付記１８）ネットワーク通信においては、暗号化されたデータをやりとりすることを特徴とする付記１６に記載の撮影装置。
（付記１９）外部記憶媒体からデータを読み取る外部記憶媒体アクセス手段を更に備え、該外部記憶媒体から、前記登録画像及び該登録画像の波長特性の登録及び更新を行うことを特徴とする付記１に記載の撮影装置。
【０１３３】
（付記２０）前記撮影装置の、前記撮影対象を撮影している際の周囲の状況を撮影する周辺撮影用カメラを更に備えることを特徴とする付記１に記載の撮影装置。
（付記２１）撮影対象の画像データを取得するステップと、
該撮影対象を単一でない波長で照射するステップと、
撮影されるべき撮影対象の登録画像を格納する格納ステップと、
該登録画像と取得された該撮影対象の画像データとを比較し、一致するか否かを判断する比較判断ステップと、
該単一でない波長で得られた該撮影対象の画像から該撮影対象の材質を判定する材質判定ステップと、
を備え、
該撮影対象をかざすような方法で画像データの取得を行うことを特徴とする撮影方法。
【図面の簡単な説明】
【０１３４】
【図１】本発明の実施形態の撮影装置の外観図である。
【図２】本発明の実施形態に基づいた材質判定機能を用いた不正防止機能について説明する図である。
【図３】複数波長の画像を撮影する２通りの方法を説明する図である。
【図４】異なる波長の光を撮影対象に照射する場合の問題点を説明する図である。
【図５】波長によって照明強度が異なる理由を説明する図である。
【図６】波長による輝度の差を輝度補正テーブルを使って補正する方法を説明する図である。
【図７】材質判定のための構成を説明する図（その１）である。
【図８】材質判定のための構成を説明する図（その２）である。
【図９】異なる波長を照射して得られた画像のデータの格納方法を説明する図である。
【図１０】標準反射物体を用いた輝度補正の方法を説明する図である。
【図１１】撮影対象の位置ずれの対処方法を説明する図である。
【図１２】マッチング用の画像データと材質判定用の画像データの撮影順序とメモリ領域の関係を示す図である。
【図１３】本発明の実施形態に従った第１の構成例を示す図である。
【図１４】第１の構成例の外観図である。
【図１５】材質判定処理部の行う処理内容のフローチャートを示す。
【図１６】材質判定結果保持部の保持する情報の例である。
【図１７】輝度補正テーブルのデータ構造の例を説明する図である。
【図１８】本発明の実施形態に従った撮影装置の第２の構成例を示している。
【図１９】第２の構成例の外観図である。
【図２０】本発明の実施形態に従った撮影装置の第３の構成例を示す図である。
【図２１】第３の構成例の外観図である。
【図２２】本発明の実施形態に従った撮影装置の第４の構成例を示す図である。
【図２３】第４の構成例の外観図である。
【図２４】物質の違いによる光の反射率の違いを説明する図である。
【図２５】従来の非接触撮影装置の概要を示す図である。
【符号の説明】
【０１３５】
２０、４１      全体制御部
２１      距離センサ
２２      照明装置
２３      カメラ
２４、４３      画像バッファ
２５、４４、４８      判定対象物体情報保持部
２６、４５      マッチング処理部
２７      材質判定部
２８      材質判定結果保持部
２９      材質判定領域保持部
３０      輝度補正部
３１      輝度補正テーブル
３２      外部記憶媒体アクセス部
３３、４２      外部モニタ装置
４６、４７      通信部
５０      撮影装置
５１      外部プロセッサ
６０      周辺撮影カメラ
６１      周辺撮影カメラ用バッファ
６２      ネットワーク通信部
【図１】
2006220666.tif 000003
【図２】
2006220666.tif 000004
【図３】
2006220666.tif 000005
【図４】
2006220666.tif 000006
【図５】
2006220666.tif 000007
【図６】
2006220666.tif 000008
【図７】
2006220666.tif 000009
【図８】
2006220666.tif 000010
【図９】
2006220666.tif 000011
【図１０】
2006220666.tif 000012
【図１１】
2006220666.tif 000013
【図１２】
2006220666.tif 000014
【図１３】
2006220666.tif 000015
【図１４】
2006220666.tif 000016
【図１５】
2006220666.tif 000017
【図１６】
2006220666.tif 000018
【図１７】
2006220666.tif 000019
【図１８】
2006220666.tif 000020
【図１９】
2006220666.tif 000021
【図２０】
2006220666.tif 000022
【図２１】
2006220666.tif 000023
【図２２】
2006220666.tif 000024
【図２３】
2006220666.tif 000025
【図２４】
2006220666.tif 000026
【図２５】
2006220666.tif 000027